(57)【特許請求の範囲】
【請求項１】
一人用机の長方形の天板と、該天板の左右方向の一方の端部に結合される側面視略倒立Ｌ状をなす腕と柱を備えた中間支持体と、前記中間支持体又は前記天板に取付けられて支持される幕板状の垂下部材とを備えた連結机要素と、該連結机要素の２個を、側面視対称な関係で対向させ且つ前記天板の間に隙間を形成して配置し、対向した前記中間支持体同士、並びに、垂下部材同士を連結材で結合した連結机要素の組と、前記連結机要素又は前記連結机要素の組における前記天板の中間支持体を設けない端部に結合される脚体を具備する連結机の基本的構成において、
前記連結机要素の組同士における中間支持体を有する一の天板端部と中間支持体を有しない他の天板端部を隣接させ、隣接した天板における中間支持体を有しない端部を前記中間支持体に固定することにより、連結机要素の組同士の連結体を形成し、当該連結体の左右方向の少なくとも一方の外側端部に前記連結机要素を配置し、隣接する天板同士の端部をいずれか一方の天板が有する中間支持体に固定して前記連結机要素の組の連結体と前記連結机要素を連結し、このように連結した前記連結机要素の組と連結机要素の天板における左右方向の最外側に位置する天板の中間支持体を有しない端部には前記脚体を結合し、中間支持体を有する端部にはその中間支持体に代えて前記脚体を結合したことを特徴とする連結形態可変の連結机。
【請求項２】
請求項１の連結机は、１個の連結机要素の組の左右方向のいずれか一方の外側に連結机要素を配置して中間支持体を有する天板の端部と中間支持体を有しない天板の端部を隣接させ、隣接した天板同士の端部を前記中間支持体に固定し、このように連結した前記連結机要素の組と前記連結机要素において最外側に位置する天板の中間支持体を有しない端部には前記連結机要素用の脚体を結合し、及び最外側に位置する天板の中間支持体を有する端部にはその中間支持体に代えて前記脚体を結合した連結形態可変の連結机。
【請求項３】
請求項１の連結机は、１個の連結机要素の組又は天板の左右方向で連結した連結机要素の組の連結体の左右方向の両外側に連結机要素を配置し、左右方向で隣接する天板同士の端部を一方の天板が有する中間支持体に固定し、このようにして連結机要素の組に連結された前記連結机要素の天板の左右方向の最外側に位置する天板の中間支持体を有しない端部には前記連結机要素用の脚体を結合し、及び最外側に位置する天板の中間支持体を有する端部にはその中間支持体に代えて、前記脚体を結合した連結形態可変の連結机。
【請求項４】
請求項１の連結机は、3個以上の連結机要素の組の連結体における最外側又は中間に位置する連結机要素の組が有する連結机要素を天板と中間支持体と垂下部材を備えた状態で当該連結体から取り外した構成と、当該連結体における左右方向の最外側に位置した天板の中間支持体を有しない端部には前記連結机要素用の脚体を結合し、及び最外側に位置した天板の中間支持体を有する端部にはその中間支持体に代えて前記脚体を結合した構成とを備えた連結形態可変の連結机。
【発明の詳細な説明】
【技術分野】
【０００１】
本発明は、複数人が同時に着席して使用できる大きさに形成した大形天板を備えた連結机に関する。
【背景技術】
【０００２】
従来から、複数人が同時に使用できる大きさ，平面形態を備えた机（以下、多人数用机、或は、連結机ともいう）は、特許文献１〜３などを始めとして多数の提案があり、実製品も市場に提供されていて公知である。
【０００３】
従来の多人数用机は、主として天板製造上の制約に拠り、通常サイズの一人用机の天板と同等の大きさ，平面形態を有する天板の複数枚を結合した形態して構成したものが殆んどである。具体的には長方形天板を長手方向で対面させて連結した連結天板（これを両面連結という）の複数個を、当該連結天板の長手方向で連結（左右方向で連結ともいう）した態様のものである。
【０００４】
複数の両面連結天板を結合して広大な結合天板を形成した場合、天板の結合強度、特に垂直荷重に対する強度を確保する必要があるため、結合した天板全体の長さ方向に貫通した作用をする梁構造を、結合した両面連結天板の長さ方向下面の中央部に配線用ダクト等の機能を兼ねた部材によって形成したタイプの連結机が知られている。
【０００５】
上記結合形態による両面連結の天板と、その結合した両面連結天板の下面中央を貫通した配線ダクト機能を有する梁状構造体による連結机の基本構造体は、連結した両面連結天板の左右両側端部に、当該連結天板と貫通した梁状構造体に結合されるパネル状脚体や門型の柱状脚体が設けられると共に、前記梁状構造体の中間部分に、垂直荷重を支える中間脚体が設けられた基本的形態を備えている。
【０００６】
しかし乍ら、上記の基本的形態を具備した多人数用の連結机は、広大に結合された両面連結天板が平面視矩形状すなわち大きな長方形状を呈しているため、実際にレイアウトしてみると、天板のこの平面形状によって使い勝手や配置スペースの点から見ると改善すべき課題のあることが判った。
【０００７】
すなわち、多人数用机を使用する人員数が、結合した両面連結天板の枚数より少ない場合には、結合した天板スペースが無駄に余ることになり、また、この結合した両面連結天板を有する机の配置場所が、スペース上の問題や平面から見た部屋の凹凸形状や変形があったり、或は、この机を配置したい場所に柱が存在したりすると、結合した両面連結天板の一部が邪魔になる場合があることが判った。
【０００８】
因みに、公知の多人数用の連結机では、上記問題に対応できるようには形成されておらず、せいぜい結合した天板全体の長さ方向での天板の結合枚数を減じて対処する、換言すれば、両面連結天板の連結机全体の長さを加減するしか方法がなかった。
【先行技術文献】
【特許文献】
【０００９】
【特許文献１】特開２００４−１５９７９９号公報
【特許文献２】特開２００９−１４８４９６号公報
【特許文献３】特開２００９−２６１８２１号公報
【発明の概要】
【発明が解決しようとする課題】
【００１０】
そこで本発明では、上記のように多人数用に広大に形成された結合された両面連結天板を備えた連結机の現状での問題点に鑑み、平面から見た天板の結合態様である長方形の態様を、長方形以外の異形態様にすることが容易にできる構造を備えた多人数用の連結机を提供することをその課題とする。
【課題を解決するための手段】
【００１１】
上記課題を解決することを目的としてなされた天板の結合形態を可変にした本発明連結机の構成は、一人用机の長方形の天板と、該天板の左右方向の一方の端部に結合される側面視略倒立Ｌ状をなす腕と柱を備えた中間支持体と、前記中間支持体又は前記天板に取付けられて支持される幕板状の垂下部材とを備えた連結机要素と、該連結机要素の２個を、側面視対称な関係で対向させ且つ前記天板の間に隙間を形成して配置し、対向した前記中間支持体同士、並びに、垂下部材同士を連結材で結合した連結机要素の組と、前記連結机要素又は前記連結机要素の組における前記天板の中間支持体を設けない端部に結合される脚体を具備する連結机の基本的構成において、
前記連結机要素の組同士における中間支持体を有する一の天板端部と中間支持体を有しない他の天板端部を隣接させ、隣接した天板における中間支持体を有しない端部を前記中間支持体に固定することにより、連結机要素の組同士の連結体を形成し、当該連結体の左右方向の少なくとも一方の外側端部に前記連結机要素を配置し、隣接する天板同士の端部をいずれか一方の天板が有する中間支持体に固定して前記連結机要素の組の連結体と前記連結机要素を連結し、このように連結した前記連結机要素の組と連結机要素の天板における左右方向の最外側に位置する天板の中間支持体を有しない端部には前記脚体を結合し、中間支持体を有する端部にはその中間支持体に代えて前記脚体を結合したことを特徴とするものである。
【００１２】
本発明は、上記の天板結合形態を可変にした連結机を、以下のように構成することもできる。
すなわち、本発明連結形態可変の連結机の他の構成は、一人用机の長方形の天板と、該天板の左右方向の一方の端部に結合される側面視略倒立Ｌ状をなす腕と柱を備えた中間支持体と、該中間支持体又は前記天板に取付けられて支持される幕板状の垂下部材とを備えた連結机要素と、該連結机要素の２個を、側面視対称な関係で対向させ且つ前記天板の間に隙間を形成して配置し、対向した前記中間支持体同士、並びに、垂下部材同士を連結材で結合した連結机要素の組と、前記連結机要素又は連結机要素の組における天板の中間支持体を設けない端部に結合される連結机要素用の脚体を具備した構成において、1個の連結机要素の組の左右方向のいずれか一方の外側に、連結机要素を配置して中間支持体を有する天板の端部と中間支持体を有しない端部を隣接させ、隣接した前記天板同士の端部を前記中間支持体の上に固定し、このようにして連結した前記連結机要素の組と前記連結机要素において最外側に位置する天板の中間支持体を有しない端部には前記連結机要素用の脚体を結合し、及び最外側に位置する天板の中間支持体を有する端部にはその中間支持体に代えて前記脚体を結合したことを特徴とする。
【００１３】
本発明では、上記の連結机の基本的構成において、１個の連結机要素の組又は天板の左右方向で連結した連結机要素の組の連結体の左右方向の両外側に連結机要素を配置し、左右方向で隣接する天板同士の端部を一方の天板が有する中間支持体の上に固定し、このようにして連結机要素の組に連結された前記連結机要素の天板の左右方向の最外側に位置する天板の中間支持体を有しない端部には前記連結机要素の脚体を結合し、及び最外側に位置する中間支持体を有する端部にはその中間支持体に代えて前記脚体を結合した態様にできる。
【発明の効果】
【００１４】
本発明では、一人用机の長方形の天板と、該天板の左右側のいずれか一方側に結合された側面視略倒立Ｌ状をなす腕と柱を備えた中間支持体と、該中間支持体又は前記天板に取付けられて支持される幕板状の垂下部材とを備えた連結机要素と、この連結机要素用の脚体とを本発明連結机の基本的構成の要素としたから、前記連結机要素を向い合せた突合せ形態で結合（連結）することにより連結机要素の組を形成できると共に、この組の左右方向に連結机要素の任意の個数を結合すると、複数個の連結机要素の組と連結机要素によって平面から見て天板が任意の連結態様になる連結机を実現することができる。
【図面の簡単な説明】
【００１５】
【図１】本発明連結机の一例の斜視図。
【図２】図１の連結机を分解した状態の要部の斜視図。
【図３】本発明における連結机要素用の脚体と垂下部材の結合部の一例の斜視図。
【図４】本発明連結机に用いる結合した中間支持体の一例の斜視図。
【図５】本発明の連結机要素に用いる垂下部材の一例の中間省略した斜視図。
【図６】本発明連結机に用いる突合せ結合した脚体の一例の斜視図。
【図７】本発明連結机の連結パターンを例示した平面図。
【発明を実施するための形態】
【００１６】
次に、添付図面に基づいて本発明連結机の実施の形態例について説明する。
図１〜図３において、１は、一般的な一人用机の天板と同等大きさの平面長方形の天板であって、図１の本発明連結机の実施例では、５枚の天板１が用いられている。本発明連結机において用いられる天板１の枚数は、上記実施例の数に限られるものではなく、３枚以上であればよい。２は、前記の５枚の天板１において、天板同士の長さ方向（左右方向）両端部の突合せ結合部に配設された倒立略Ｌ字状をなす腕２１と柱２２とを具備した中間支持体である。図４は、２個の中間支持体２，２を、間に隙間を有する突合せ状態で連結材４と４１により結合した状態で示した斜視図である。
【００１７】
３は、図１の５枚の天板１において、各天板１の前端側の下面に配置される上下幅が比較的狭い幕板状の垂下部材である（図３、図５参照）。この垂下部材３は上下端の縁が断面Ｌ状やコ状をなすように折曲げられた上，下の縁部３ａ，３ｂを有すると共に、垂直面に３ｃに、断面Ｌ字状レール部材などを取付けてなる係止部３ｄが設けられている。係止部３ｄは、後述する断面略Ｕ状や略Ｌ状の配線用トレーを係止するための構成である。３ｅは垂下部材３の左右両端に折り曲げ形成した取付壁で、後述するパネル状の脚体５，６の内面と、前記中間支持体の柱２２の側面（脚対５，６に対向した面）に設けた取付ピン（図示せず）に係止されるだるま孔３ｆを有する。図５は中間省略で示した垂下部材３の斜視図であり、図３に示すように天板１の前後方向で対向配置される天板１，１の下方で２つの垂下部材３，３が係止部３ｄ側を対向して配置される。
【００１８】
上記垂下部材３は、図１〜図３に示す実施例では、各天板１の前端部近傍の下面において、上記の中間支持体２の柱２２と後述する脚体５又は６に、当該垂下部材３の両端部取付壁３ｅにおいて支持され、垂下姿勢で配置される。なお、垂下部材３の支持（又は取付）形態は、図示しないが、取付用ブラケットなどを介して各天板１の前端部近傍の下面に垂下姿勢で支持する（取付ける）形態を選択することもできる。
【００１９】
図１〜図３の実施例における１枚の天板１と、この天板１の左右方向における右側（又は左側）に結合される中間支持体２と、当該天板１の前端部下面に配置された垂下部材３と、前記中間支持体２が設けられない側においてその天板１を支持するために当該天板１と垂下部材３に結合される脚体５（又は６）によって、脚体５（又は６）が取付けられた本発明連結机に用いる１つの連結机要素を形成する。
【００２０】
本発明では、上記の連結机要素の２つを、２枚の天板１，１の長手方向辺を対向させて対向辺の間に隙間Ｇを形成した状態で配置し、このように配置した２個の連結机要素において夫々に天板１，１の一方の側端（図１では右側）を支持している腕２１，２１と柱２２，２２を有する対向した中間支持体２，２同士を、その柱２２，２２において複数本の連結材４，４１により結合すると共に、天板１，１の他方の側端を脚体５と脚体６の天板受け５ａと６ａにビス止めなどにより結合し、かつ、両脚体５，６を突合せ部において連結材４２，４３により結合すること、並びに、各垂下部材３の左右側端面を、前記脚体５，６と中間支持体２の柱２２にビス止めやピン係止などにより結合することにより、連結机要素の組を形成している。因みに、この連結机要素の組における天板の配置は公知の両面連結に当たる。
【００２１】
上記の連結机要素の組において、対面する垂下部材３，３は、その底部を連結材４又は同等機能を持つ部材によって結合することもある。また、対向した天板１，１の隙間Ｇが形成される部位には、図示しないが、当該天板１の下面に前記隙間Ｇを塞ぐため、開閉自在又は着脱自在にして蓋体（図示せず）を配設するための蓋体受座（図示せず）が設けられている。蓋体受座は、置きタイプの蓋体を位置決めするための突起を設けたタイプと、蓋体を開閉自在に支持するためのヒンジを備えたタイプのいずれかを選択する。
【００２２】
上記の連結机要素の２つを対面結合させた連結机要素の組における２枚の天板１，１は、左右方向の両端部がパネル状の脚体５又は６の上端に設けた天板受け５ａ又は６ａと、中間支持体２の腕２１の上面に形成した天板受け部２１ａに載置され、図示しない天板止めビスなどにより、脚体５又は６と中間支持体２の腕２１に結合されて支持される。なお、腕２１の上面に形成した天板受け２１ａは、２枚の天板１，１の突合せ当接部位を支持することができる幅と２枚の天板１，１の端部に対応した複列のビス穴２１ｂを有して形成されている。
【００２３】
垂下部材３は、その左右側面部を起立させて形成した帯状の取付壁３ｅ（左側端の取付片は図３に表われない）において、脚体５又は６の立壁面と、中間支持体２における柱２２の立壁面に、図に表れない取付ピンなどによって取付けられることにより、当該脚体５又は６と中間支持体２に結合される。
【００２４】
上記のようにして天板１、中間支持体２、垂直部材３、脚体５，６による構成部材（連結机要素）が適宜に連結，結合されて形成される本発明連結机は、図１に示した連結形態を始めとして、図７の平面図に例示するような連結パターンを選択することができる。
すなわち、図７（イ）では、中間支持体２を各天板１の左右方向の左側に設けた２つの連結机要素の組を左右方向で連結した形態において、連結した天板における右側の天板１，１の右側端部は脚体６，６に結合する一方、この図の左側の天板１，１における上位の天板１の左側端部は該端部にあった中間支持体２に代えた脚体５に結合すると共に、下位の天板１の左側端部の中間支持体２には、左側端部を中間支持体２に代えた脚体５に結合した連結机要素の天板１の右側端部を結合させた連結机の例である（図１の例とは対称的な連結パターン、図７（イ）参照）。
図７（ロ）は、１個の連結机要素の組において、上位の天板１の右側端部を脚体６に結合すると共に、該上位の天板１の左側端部の中間支持体２には、左側端部の中間支持体２を脚体５に代えた連結机要素の天板１の右側端部を結合支持させる一方、この連結机要素の組における下位の天板１の左側端部は中間支持体２に代えた脚体５に結合すると共に、当該下位の天板１の右側端部をこの天板１の長さ方向に直列した連結机要素の左側端部の中間支持体２に結合した連結机の例である。なお、この連結机の左右方向の両外側に位置した天板１，１の前面には、夫々に幕板３１が設けられている（図７（ロ）参照）。
図７（ハ）は、各天板１の左側端に中間支持体２備えた３個の連結机要素の組を、左右の連結机要素の組おける上位の天板１，１の間に、１個の連結机要素を挿入結合した形となるように形成した連結机の例である。この連結机では、まず左側に位置する連結机要素の組における天板１の左側端部にある上下の中間支持体２を２つとも脚体５に代えると共に、右側に位置する連結机要素の組における上下の天板１の右側端部を夫々脚体６に結合して支持する。次いで中間に位置した連結机要素の組における下位の天板１をその中間支持体２、垂下部材３と一緒に取り外し、残った上位の天板１の左側端部を支持している中間支持体２に、この支持体２の左側に隣接した前記左側の連結机要素の組における上位の天板１の右側端部を結合して支持させると共に、前記残った上位の天板１の右側端部を、この右側に隣接した前記右側の連結机要素の組における上位の天板１の左側端部の中間支持体２に支持させる。更に、前記左側の連結机要素の組の下位の天板１における右側端部を脚体６に結合して支持すに、当該下位の天板１の左端の中間支持体２を脚体５に代え、同じく前記右側の連結机要素の組における下位の天板１の左右両端部も、前記左側の連結机要素の組における下位の天板１の両端部と同じ要領で脚体５と６に結合して支持されている。なお中間に位置した天板１の前面には幕板３１を設けている（図７（ハ）参照）。図７（ハ）の連結机は、左右の連結机要素の組の間に連結机要素を連結しても上記図７(ハ)の連結机と同じ形になる。本発明では、図７に例示した連結パターンにおいて、その左右両側又は一方の側に、連結机要素又は連結机要素の組をさらに連結する連結パターンをとることができ、そのように連結することは任意である。また、連結机要素だけの連結パターンや連結机要素の組だけの連結パターンの連結机も形成することができる。
【００２５】
図７（イ）〜（ハ）に例示するような本発明連結机において、連結机要素の一つが単独で結合されている部位では、垂下部材３は１枚しかない。このため対向した２枚の天板１，１による隙間Ｇの下方に２枚の垂下部材３，３が対向して存在する連結机要素の組のように、対向する２枚の垂下部材３による配線用ダクトは形成されない。そこで本発明では、連結机要素が１個で単独の垂下部材３の場合には、その垂下部材３の前面側にダクト形成用幕板部材３１を設置することにより、この幕板部材３１と垂下部材３により配線用のダクトを形成するようにした（図１、図７参照）。これにより、天板１の前端と幕板部材３１の上端の間に隙間Ｇ’が形成されるので、垂下部材３の前面の係止部３ｄに配線用トレーを係止することができる。
【００２６】
また、図１に例示したように、中間支持体２と脚体５が天板１の前後方向に関し対面している部分では、中間支持体２における柱２２と脚体５との対向面の間に、連結材４２を架設固定し、中間支持体２と脚体５を結合している。この場合の連結材４２は、２つの中間支持体２同士の柱２２同士を結合する連結材４よりも短い、例えば、略１／２程度の長さのものである。
本発明では、中間支持体２，２同士を結合している連結材４を用いて脚体５（６）を中間支持体２の柱２に結合することができる構成もある。すなわち、２つの中間支持体２同士を結合している場合において、この結合状態から１つの中間支持体２を外し、残った中間支持体２に結合している連結材４に、パネル状の脚体５（６）の側端部を結合するのである（図７参照）。
中間支持体２と脚体５（６）に上記の結合態様を採ることにより、両面連結の連結机要素の組のみで構成されていた連結机において、その中から１つの連結机要素を外したとき、外される連結机要素と一緒に外される中間支持体２に代えて脚体５（６）を、連結机の外側端になる天板の支持体のない端部を支えるために対向する側に残った中間支持体２と連結材４を介して結合させ組込むことができる（図７参照）。なお、中間支持体２に後からパネル状の脚体５（６）を結合する場合においては、先に述べたように、連結材４の略１／２長の連結材４２を用いた結合態様もある。
【００２７】
本発明は、以上に述べたように、一人用机の長方形の天板と、該天板の左右方向側のいずれか一方側に結合される側面視略倒立Ｌ状をなす腕と柱を備えた中間支持体と、該支持体又は前記天板に取付けられて支持される幕板状の垂下部材とを備えた構成を連結机要素とし、また、該連結机要素の２つを、側面視対称な関係で対向した天板の間に隙間を形成して配置して、対向した前記中間支持体同士、並びに、垂下部材同士を連結材を介し結合して成る連結机要素の組としたので、天板が１枚の前記連結机要素と天板が両面連結されて２枚の連結机要素の組とを組み合わせることによる連結机を形成することができる。
【００２８】
また、連結机要素と連結机要素の組の連結体との組合せにおける各天板の中間支持体が設けられない端部に結合する脚体とによって、本発明連結机の基本的構成としたから、前記連結机要素の組と連結机の要素とを適宜組合せて連結することにより天板の平面パターンが単なる四角形状ではない図７に例示したような異形パターンを任意かつ容易に採ることができ、従って、連結机を設置する場所の平面形状や柱等の障害物を避けた連結パターンの連結机や連結机を使用する人員数に合わせた天板数の連結机に容易に形成することができる。
【００２９】
すなわち、本発明によれば上記のように連結する天板の数とその連結パターンを任意に選択することができるので、使用人数に合せた天板の連結態様の連結机だけではなく、設置場所の異形の平面形状や、柱等の机の配置に邪魔になるものがある場合などにおいても、その異形平面に沿った連結態様や柱等を回避した連結態様を容易に採ることができる。
【００３０】
本発明は以上の通りであるから、同形状の複数の天板を連結して形成されるタイプの連結机における異形に連結された連結天板を備えた机としてきわめて有用である。
特に、本発明連結机は、連結する天板を向い合せ（突合せ）結合した連結机要素の組をその天板の長さ方向において複数組連結した連結机として使用している途中で、その連結机の中から１本の天板を抜いた（１つの連結机要素を除去した）形の連結形態を容易に形成できるので、設置場所の変形や使用人員の減少などに対応した連結形態を容易に実現できて使用上至って便利である。
【符号の説明】
【００３１】
１    天板
２    中間支持体
２１  腕
２２  柱
３    垂下部材
３１  幕板部材
４，４１，４２，４３  連結材
５，６  脚体
【図１】
0005981127.tif 000002
【図２】
0005981127.tif 000003
【図３】
0005981127.tif 000004
【図４】
0005981127.tif 000005
【図５】
0005981127.tif 000006
【図６】
0005981127.tif 000007
【図７】
0005981127.tif 000008